(57)【要約】      （修正有）【課題】スループットの向上を図るようにした無線通信システム、端末装置、及び無線通信方法を提供する。【解決手段】第１の無線リソースを利用して受信を行い、第２の無線リソースを利用して送信を行う第１の端末装置群と、該第２の無線リソースを利用して受信を行い、該第１の無線リソースを利用して送信を行う第２の端末装置群とを備え、該第１の端末装置群に属する端末が該第２の端末装置群に属する端末との間で直接的な無線通信を行う無線通信システムにおいて、前記第１の端末装置群に属し、前記第２の無線リソースを用いて前記第２の無線リソース内における送信帯域の割当て要求を送信する第１端末と、前記第１端末によって送信された前記割当て要求を受信し、前記第１の無線リソースを用いて前記送信帯域の前記第１端末への割当てを示す情報を送信する、前記第２の端末装置群に属する第２端末とを備える。【選択図】図６
2011103573.tif 000002
【特許請求の範囲】
【請求項１】
第１の無線リソースを利用して受信を行い、第２の無線リソースを利用して送信を行う第１の端末装置群と、該第２の無線リソースを利用して受信を行い、該第１の無線リソースを利用して送信を行う第２の端末装置群とを備え、該第１の端末装置群に属する端末が該第２の端末装置群に属する端末との間で直接的な無線通信を行う無線通信システムにおいて、
前記第１の端末装置群に属し、前記第２の無線リソースを用いて前記第２の無線リソース内における送信帯域の割当て要求を送信する第１端末と、
前記第１端末によって送信された前記割当て要求を受信し、前記第１の無線リソースを用いて前記送信帯域の前記第１端末への割当てを示す情報を送信する、前記第２の端末装置群に属する第２端末とを備え、
前記第１端末は、前記第２端末から、前記送信帯域の割当てを示す情報を受信すると、前記第２の無線リソース内の前記割当てられた送信帯域を用いてデータを送信することを特徴とする無線通信システム。
【請求項２】
前記第２端末は、前記送信帯域のうち未使用の前記送信帯域を前記第１端末へ割り当て、当該割当てた送信帯域を、前記割当てを示す情報として送信することを特徴とする請求項１記載の無線通信システム。
【請求項３】
更に、前記第２の端末装置群に属し、前記第１の無線リソースを用いて前記第１の無線リソース内における送信帯域の割当て要求を送信する第３端末と、
前記第３端末によって送信された前記割り当て要求を受信し、前記第２の無線リソースを用いて前記第１の無線リソース内における送信帯域の前記第３端末への割当てを示す情報を送信する、前記第１の端末装置群に属する第４端末とを備え、
前記第３端末は、前記第４端末から、前記送信帯域の割当てを示す情報を受信すると、前記第１の無線リソース内の前記割当てられた送信帯域を用いてデータを送信することを特徴とする請求項１記載の無線通信システム。  
【請求項４】
第１の無線リソースを利用して受信を行い、第２の無線リソースを利用して送信を行う第１の端末装置群に属する端末装置において、
前記第２の無線リソースを用いて前記第２の無線リソース内における送信帯域の割当て要求を送信する送信部と、
前記第１の無線リソースを利用して送信を行い前記第２の無線リソースを利用して受信を行う第２の端末装置群に属する端末装置から、前記送信帯域の前記第１の端末装置群に属する端末装置への割り当てを示す情報を前記第１の無線リソースを用いて受信する受信部とを備え、
前記送信部は、前記割り当てを示す情報を受信すると、前記第２の無線リソース内の前記割当てられた送信帯域を用いてデータを送信することを特徴とする端末装置。
【請求項５】
第１の無線リソースを利用して送信を行い、第２の無線リソースを利用して受信を行う第２の端末装置群に属する端末装置において、
前記第１の無線リソースを利用して受信を行い前記第２の無線リソースを利用して送信を行う第１の端末装置群に属する端末装置から、前記第２の無線リソース内における送信帯域の割当て要求を前記第２の無線リソースを利用して受信する受信部と、
前記割当て要求に基づいて、前記割当て要求を送信した前記第１の端末装置群に属する前記端末装置に対する前記送信帯域の割当てを示す情報を前記第１の無線リソースを利用して送信する送信部と
を備えることを特徴とする端末装置。
【請求項６】
第１の無線リソースを利用して受信を行い、第２の無線リソースを利用して送信を行う第１の端末装置群と、該第２の無線リソースを利用して受信を行い、該第１の無線リソースを利用して送信を行う第２の端末装置群とを備え、該第１の端末装置群に属する端末が該第２の端末装置群に属する端末との間で直接的な無線通信を行う無線通信システムにおける無線通信方法であって、
前記第１の端末装置群に属する第１端末は、前記第２の無線リソースを用いて前記第２の無線リソース内における送信帯域の割当て要求を送信し、
前記第２の端末装置群に属する第２端末は、前記第１端末によって送信された前記割当て要求を受信し、前記第１の無線リソースを用いて前記送信帯域の前記第１端末への割当てを示す情報を送信し、
前記第１端末は、前記第２端末から、前記送信帯域の割当てを示す情報を受信すると、前記第２の無線リソース内の前記割当てられた送信帯域を用いてデータを送信する
ことを特徴とする無線通信方法。
【発明の詳細な説明】
【技術分野】
【０００１】
本発明は、無線通信システム、端末装置、及び無線通信システムにおける無線通信方法に関する。 
【背景技術】
【０００２】
無線通信システムに関する従来技術としてキャリアセンスがある。キャリアセンスは、例えば、ある端末が他の端末からの受信信号により使用されている無線帯域を検知し、検知した無線帯域に基づき他の端末において使用されていない無線帯域を利用して無線通信を行うものである。
【先行技術文献】
【非特許文献】
【０００３】
【非特許文献１】IEEE802.11a
【非特許文献２】ARIB STD-T71
【特許文献】
【０００４】
【特許文献１】特開平８‐２５６１５３号公報
【特許文献２】特開２０００‐２４４５２２号公報
【発明の概要】
【発明が解決しようとする課題】
【０００５】
しかし、端末間通信においてキャリアセンスが行われると、例えば、電波が届かない他の端末の無線帯域が検知されず、当該他の端末が隠れ端末となる所謂隠れ端末問題が発生する場合がある。隠れ端末問題により、複数の端末間で同じ無線帯域が利用され、当該端末間で無線通信が行えなくなる場合がある。このような場合、端末間でデータ等の受信等ができず、その分だけ無線帯域に無駄が生じ、スループットの向上が図れない。
【０００６】
そこで、本発明の一目的は、スループットの向上を図るようにした無線通信システム、端末装置、及び無線通信システムにおける無線通信方法を提供することにある。
【課題を解決するための手段】
【０００７】
一態様によれば、第１の無線リソースを利用して受信を行い、第２の無線リソースを利用して送信を行う第１の端末装置群と、該第２の無線リソースを利用して受信を行い、該第１の無線リソースを利用して送信を行う第２の端末装置群とを備え、該第１の端末装置群に属する端末が該第２の端末装置群に属する端末との間で直接的な無線通信を行う無線通信システムにおいて、前記第１の端末装置群に属し、前記第２の無線リソースを用いて前記第２の無線リソース内における送信帯域の割当て要求を送信する第１端末と、前記第１端末によって送信された前記割当て要求を受信し、前記第１の無線リソースを用いて前記送信帯域の前記第１端末への割当てを示す情報を送信する、前記第２の端末装置群に属する第２端末とを備え、前記第１端末は、前記第２端末から、前記送信帯域の割当てを示す情報を受信すると、前記第２の無線リソース内の前記割当てられた送信帯域を用いてデータを送信する。  
【発明の効果】
【０００８】
スループットの向上を図るようにした無線通信システム、端末装置、及び無線通信システムにおける無線通信方法を提供することができる。
【図面の簡単な説明】
【０００９】
【図１】図１は無線通信システムの構成例を示す図である。
【図２】図２は端末の構成例を示す図である。
【図３】図３は無線フレームの構成例を示す図である。
【図４】図４は無線通信システムの構成例を示す図である。
【図５】図５は動作例を示すフローチャートである。
【図６】図６は無線フレームの構成例を示す図である。
【図７】図７は動作例を示すフローチャートである。
【図８】図８は無線フレームの構成例を示す図である。
【図９】図９は無線フレームの構成例を示す図である。
【図１０】図１０は無線フレームの構成例を示す図である。
【図１１】図１１（Ａ）及び図１１（Ｂ）は無線フレームの構成例を示す図である。
【図１２】図１２（Ａ）〜図１２（Ｃ）は無線フレームの構成例を示す図である。
【図１３】図１３は無線フレームの構成例を示す図である。
【発明を実施するための形態】
【００１０】
本実施の形態について以下説明する。
【００１１】
図１は無線通信システム１０、図２は端末装置、図３は無線フレームの各構成例を夫々示す図である。
【００１２】
図１に示すように、無線通信システム１０は、複数の端末装置（以下、「端末」）１００‐Ａ〜１００‐Ｃ，１００‐ａ〜１００‐ｃを備える。
【００１３】
本実施例では説明を容易にするため、各端末１００‐Ａ等は、例えば２つグループに分割されるものとする。例えば、端末１００‐Ａ〜１００‐Ｃを第１の端末装置群、端末１００‐ａ〜１００‐ｃを第２の端末装置群とする。そして、無線フレームも２つの無線リソース（第１及び第２の無線リソース）に分割されて、各端末装置群が各無線リソースを利用してデータ等を送信するものとする。これにより、各端末１００‐Ａ〜１００‐Ｃと各端末１００‐ａ〜１００‐ｃとは直接無線通信を行うことができる。
【００１４】
基地局装置を介した無線通信は、基地局装置がスケジューリングを行うことで、各端末装置に対する無線リソースが割当てられる。しかし、基地局装置を介さない端末間通信は、スケジューリングを行う基地局装置が存在しない。そこで、本実施例では、例えば図３に示すように、第１の端末装置群はＴＤＤ２領域１６０、第２の端末装置群はＴＤＤ１領域１５０の各無線リソースを利用してデータ等を送信するものとして予め決めておくようにしている。
【００１５】
次に端末１００の構成例を説明する。端末１００は、受信アンテナ１０１と、ＲＦ処理部１０２と、Ａ／Ｄ変換部１０３と、復号部１０４と、エントリ／ＭＡＰ領域判断部（以下、領域判断部）１０５と、ＭＡＰ領域記憶部１０６と、帯域割当部１０７と、符号部１０８と、Ｄ／Ａ変換部１０９と、ＲＦ処理部１１０と、送信アンテナ１１１とを備える。
【００１６】
受信アンテナ１０１は、他の端末１００から送信された無線信号を受信する。
【００１７】
ＲＦ処理部１０２は、受信アンテナ１０１から出力された無線信号に対して、例えば、ＲＦ処理等により所定周波数レベルへの変換等を行う。
【００１８】
Ａ／Ｄ変換部１０３は、ＲＦ処理部１０２から出力された受信信号をデジタル信号に変換する。
【００１９】
復号部（デコーダ）１０４は、Ａ／Ｄ変換部１０３から出力された受信信号を復号する。復号部１０４は、例えば、復号した受信信号のうち、データ領域において受信した受信データを他の処理部に出力し、ＭＡＰ領域等において受信した信号を領域判断部１０５に出力する。
【００２０】
領域判断部１０５は、ＭＡＰ領域において受信した信号又は電力の有無に応じて、データ領域にデータが割り当てられているか否か等の判断等を行う。詳細は後述する。
【００２１】
ＭＡＰ領域記憶部１０６は、ＭＡＰ領域において受信したＭＡＰ情報等を記憶する。
【００２２】
帯域割当部１０７は、ＭＡＰ領域記憶部１０６に記憶されたＭＡＰ情報等に基づいて、データ等に対する無線帯域（または無線リソース。例えば、時間または周波数の各リソース）の割り当てを行う。
【００２３】
符号部（エンコーダ）１０８は、他の処理部から出力されたデータ等を符号化する。
【００２４】
Ｄ／Ａ変換部１０９は、符号部１０８から出力されたデータ等をアナログ信号に変換する。
【００２５】
ＲＦ処理部１１０は、Ｄ／Ａ変換部１０９から出力されたデータ等に対して、ＲＦ処理等を行い、無線信号として出力する。
【００２６】
送信アンテナ１１１は、ＲＦ処理部１１０から出力された無線信号を他の端末に無線送信する。
【００２７】
次に図３に示す無線フレームの構成例を説明する。図３に示す無線フレームは、横軸が時間方向、縦軸が周波数方向を示す。上述したように、無線フレームはＴＤＤ１領域１５０とＴＤＤ２領域１６０の各領域に分割される。  
【００２８】
ＴＤＤ１領域１５０は、ＴＤＤ１エントリ領域１５１と、ＴＤＤ２ＭＡＰ領域１５２と、ＴＤＤ１データ領域１５３とを備える。
【００２９】
ＴＤＤ１エントリ領域１５１は、例えば、ＴＤＤ１データ領域１５３における送信帯域の割当て要求が送信される領域である。例えば、端末１００‐ａ〜１００‐ｃはＴＤＤ１データ領域１５３を新たに利用する場合に、ＴＤＤ１エントリ領域１５１を利用して使用要求を送信する。
【００３０】
ＴＤＤ２ＭＡＰ領域１５２は、例えば、ＴＤＤ２データ領域１６３における帯域割り当ての有無に関する信号（以下、「割当て信号」）等が送信される領域である。例えば、ＴＤＤ２ＭＡＰ領域１５２の１番目の領域は、ＴＤＤ２データ領域１６３の１番目のデータ領域に対する使用の有無を示す割当て信号等が送信される領域となる。
【００３１】
尚、図３に示す例では、ＴＤＤ２ＭＡＰ領域１５２はＴＤＤ１領域１５０に配置されている。ＴＤＤ１領域１５０は、例えば、端末１００‐Ａ〜１００‐Ｃが端末１００‐ａ〜１００‐ｃから送信された信号等を受信するための無線リソースである。端末１００‐Ａ〜１００‐Ｃは、ＴＤＤ２データ領域１６３の割当て有無を、受信のための無線リソースであるＴＤＤ１領域１５０を利用して確認できる。
【００３２】
ＴＤＤ１データ領域１５３は、例えば、端末１００‐ａ〜１００‐ｃがデータ等を送信するために利用する領域である。
【００３３】
ＴＤＤ２領域１６０は、ＴＤＤ２エントリ領域１６１と、ＴＤＤ１ＭＡＰ領域１６２と、ＴＤＤ２データ領域１６３とを備える。
【００３４】
ＴＤＤ２エントリ領域１６１は、例えば、ＴＤＤ２データ領域１６３における送信帯域の割当て要求が送信される領域である。例えば、端末１００‐Ａ〜１００‐Ｃは、ＴＤＤ２データ領域１６３を新たに利用する場合、ＴＤＤ２エントリ領域１６１を利用して使用要求を送信する。
【００３５】
ＴＤＤ１ＭＡＰ領域１６２は、例えば、ＴＤＤ１データ領域１５３における帯域割り当ての有無を示す割当て信号等が送信される領域である。例えば、端末１００‐ａ〜１００‐ｃは、受信したＴＤＤ１ＭＡＰ領域１６２内の割当て信号等の有無により、ＴＤＤ１データ領域１５３の使用の有無を確認できる。
【００３６】
ＴＤＤ２データ領域１６３は、例えば、端末１００‐Ａ〜１００‐Ｃがデータ等を送信するために利用する領域である。
【００３７】
次に動作について説明する。以下では、端末１００‐Ｄが新たに無線通信システム１０内にエントリするときの動作について説明する。図４はかかる場合の無線通信システム１０の構成例を示す図であり、図５及び図７は動作例を示すフローチャートである。
【００３８】
尚、各端末１００‐ａ〜１００‐ｃは、例えば図３に示すように、ＴＤＤ２ＭＡＰ領域１５２を利用して、ＴＤＤ２データ領域１６３の使用有無に関する割当て信号等を各端末１００‐Ａ〜１００‐Ｃに予め送信しているものとする。また、各端末１００‐Ａ〜１００‐Ｃは、例えば図３に示すように、ＴＤＤデータ領域１６３の各領域を利用してデータを送信するものとする。更に、新エントリ端末１００‐Ｄは第１の端末装置群（端末１００‐Ａ〜１００‐Ｃ）に属し、端末１００‐Ａ〜１００‐Ｃと同様に、ＴＤＤ２領域１６０の無線リソースを利用してデータ等を送信し、ＴＤＤ１領域１５０を利用して信号等を受信するものとする。
【００３９】
図５は新エントリ端末１００‐Ｄの動作例を示す図である。新エントリ端末１００‐Ｄは、処理を開始すると（Ｓ１０）、既エントリ端末１００‐ａ〜１００‐ｃから受信した信号等のうち、ＴＤＤ２ＭＡＰ領域１５２において受信した割当て信号等を復号する（Ｓ１１）。例えば、復号部１０４が復号する。
【００４０】
次いで、端末１００‐Ｄは、ＴＤＤ２ＭＡＰ領域１５２において割当て信号等がある位置の識別番号（例えば、位置番号）をＭＡＰ領域記憶部１０６に記憶する（Ｓ１２）。例えば、図３の例では、領域判断部１０５は、位置番号「１」〜「３」をＭＡＰ領域記憶部１０６に記憶する。
【００４１】
次いで、端末１００‐Ｄは、ＴＤＤ２エントリ領域１６１を利用して、ＴＤＤ２ＭＡＰ領域１５２の割当て信号等のない位置番号を示す信号を送信帯域の割当て要求として送信する（Ｓ１３）。例えば、帯域割当部１０７は、ＭＡＰ領域記憶部１０６に記憶された位置（例えば、「１」〜「３」）を読み出し、当該位置以外の位置番号（例えば、「４」）を示す信号を送信する。図６はかかる場合の無線フレームの構成例を示す図である。例えば、端末１００‐Ｄは、ＴＤＤ２データ領域１６３の４番目の領域を利用してデータを送信したい旨の使用要求を既エントリ端末１００‐ａ〜１００‐ｃに送信する。尚、割当て要求には、端末１００‐Ｄの識別番号を含めてもよい。
【００４２】
既エントリ端末１００‐ａ〜１００‐ｃは割当て要求を受信すると以降の処理を行う。図７は、例えば端末１００‐ａの動作例を示すフローチャートである。
【００４３】
端末１００‐ａは、処理を開始すると（Ｓ３０）、端末１００‐Ｄから送信された信号を受信し、ＴＤＤ２エントリ領域１６１を利用して送信された信号を復号する（Ｓ３１）。例えば、復号部１０４が復号する。
【００４４】
次いで、端末１００‐ａは、復号した信号に基づいて新エントリの有無を判断する（Ｓ３２）。例えば、領域判断部１０５は、ＴＤＤ２エントリ領域１６１内に位置番号があるか否かにより新エントリの有無を判断する。
【００４５】
端末１００‐ａは、新エントリ有りと判断したとき（Ｓ３２で「有」）、新エントリ端末１００‐Ｄが要求するＭＡＰ領域位置と、ＭＡＰ領域記憶部１０６に記憶されている既エントリ端末１００‐Ａ〜１００‐ＣのＭＡＰ領域位置が重複していないかを確認する（Ｓ３３）。例えば、領域判断部１０５は、ＴＤＤ２エントリ領域１６１において受信した位置番号「４」と、ＭＡＰ領域記憶部１０６に記憶された位置番号「１」〜「３」とを比較して重複していないかを確認する。
【００４６】
そして、端末１００‐ａは、重複していないとき（Ｓ３４で「無」）、新エントリ端末１００‐Ｄが要求するＭＡＰ領域位置をＭＡＰ領域記憶部１０６に追加する（Ｓ３５）。例えば、領域判断部１０５は、位置番号「４」をＭＡＰ領域記憶部１０６に記憶する。その際、端末１００‐Ｄの識別番号を含めてもよい。
【００４７】
次いで、端末１００‐ａは、ＭＡＰ領域記憶部１０６に記憶された位置番号に対応するＴＤＤ２ＭＡＰ領域１５２内の無線領域を利用して割当て信号等を送信する（Ｓ３６）。例えば、帯域割当部１０７は、ＭＡＰ領域記憶部１０６に記憶された位置番号に対応するＴＤＤ２ＭＡＰ領域１５２（例えば、位置番号「１」〜「４」のＴＤＤ２ＭＡＰ領域）を利用して割当て信号等を送信する。なお、ＴＤＤ１領域１５０とＴＤＤ２領域１６０の期間は繰り返しおとずれる（ＴＤＤ１、ＴＤＤ２、ＴＤＤ１…）。ここでは、ＴＤＤ１領域１５０とＴＤＤ２領域１６０の期間で１無線フレームを構成するものとする（図６等参照）。従って、ＴＤＤ２エントリ領域１６１の送信が行われた次の無線フレームで、ＴＤＤ２ＭＡＰ領域１５２を利用して割当て信号が送信されることとなる。
【００４８】
例えば、帯域割当部１０７等は、本処理（Ｓ３６）において、新エントリ端末１００‐Ｄが割当て信号等の内容を確認することなくデータ領域１６３における帯域割当ての有無を信号電力の有無により確認できるように、信号を単に生成し、送信するようにしてもよい。
【００４９】
そして、端末１００‐ａは一連の処理を終了する（Ｓ３７）。
【００５０】
一方、端末１００‐ａは、新エントリ端末１００‐Ｄが要求する位置と、ＭＡＰ領域記憶部１０６に記憶された位置とが重複するとき（Ｓ３４で「有」）、ＭＡＰ領域記憶部１０６に記憶された位置番号に対応するＴＤＤＭＡＰ領域１５２内の無線領域を利用して割当て信号等を送信する（Ｓ３６）。この場合、例えば、帯域割当部１０７は既エントリ端末１００‐Ａ等のＭＡＰ領域位置（例えば、「１」〜「３」）を割り当て、信号生成を符号部１０８に指示し、符号部１０８等は当該信号を生成及び送信する。これにより、新エントリ端末１００‐Ｄは、要求したＴＤＤ２データ領域１６３における無線帯域の位置が既エントリ端末１００‐Ａ〜１００‐Ｃと重複していることを確認できる。
【００５１】
また、端末１００‐ａは、ＴＤＤ２エントリ領域１６１に新エントリが追加されていないとき（Ｓ３２で「無」）、ＭＡＰ領域記憶部１０６に記憶された位置番号に対応するＴＤＤ２ＭＡＰ領域１５２を利用して割当て信号等を送信する（Ｓ３６）。この場合、例えば、位置番号「１」〜「３」がＭＡＰ領域記憶部１０６に記憶されているため、端末１００‐ａはＴＤＤ２ＭＡＰ領域１５２の位置番号「１」〜「３」に対応する領域を利用して割当て信号等を送信する。
【００５２】
図８は、Ｓ３５とＳ３６の処理により、例えばＴＤＤ２ＭＡＰ領域１５２の位置番号「４」において新たに割当て信号等が送信されるときの無線フレームの構成例を示す図である。端末１００‐ａ〜１００‐ｃは、ＴＤＤ２ＭＡＰ領域１５２の位置番号「１」〜「４」までの領域を利用して、端末１００‐Ｄ等に割当て信号等を送信する。
【００５３】
端末１００‐Ｄ（１００‐Ａ〜１００‐Ｃを含む）は、端末１００‐ａ等からＴＤＤ２ＭＡＰ領域１５２を利用して送信された割当て信号等を受信する。このとき、端末１００‐Ｄは図５のＳ１４以降の処理を行う。
【００５４】
即ち、端末１００‐Ｄは、再度ＴＤＤ２ＭＡＰ領域１５２を利用して送信された信号を復号し（図５のＳ１４）、要求した位置番号に対応するＴＤＤ２ＭＡＰ領域１５２に割当て信号等があるか否かを確認する（Ｓ１５）。例えば、領域判断部１０５は、ＴＤＤ２ＭＡＰ領域１５２の位置番号「４」の無線領域において割当て信号または電力の有無を確認する。端末１００‐Ｄの端末識別情報が含まれる場合は、その有無も確認し、割当てが自端末に対するものであることを確認する。
【００５５】
次いで、端末１００‐Ｄは、要求した位置番号に対応するＴＤＤ２ＭＡＰ領域１５２に割当て信号等が有れば（Ｓ１６で「有」）、自端末のＭＡＰ領域位置をＭＡＰ領域記憶部１０６に追加する（Ｓ１７）。例えば、領域判断部１０５は、要求したＭＡＰ領域位置の位置番号「４」をＭＡＰ領域記憶部１０６に記憶する。
【００５６】
次いで、端末１００‐Ｄは、要求したＭＡＰ領域位置番号に対応するＴＤＤ２データ領域１６３を利用してデータを送信する（Ｓ１８）。図９は、ＴＤＤ２データ領域１６３でデータを送信する場合の無線フレームの構成例を示す図である。例えば、帯域割当部１０７は、ＭＡＰ領域位置番号「４」に対応するＴＤＤ２データ領域１６３の領域を割り当て、符号部１０８等は当該領域を利用してデータを送信する。
【００５７】
そして、端末１００‐Ｄは一連の処理を終了する（Ｓ１９）。
【００５８】
一方、端末１００‐Ｄは、要求した位置番号に対応するＴＤＤ２ＭＡＰ領域１５２に信号がないとき（Ｓ１６で「無」）、再度Ｓ１１に移行し、上述の処理を繰り返す。
【００５９】
このように、端末１００‐Ａ〜１００‐Ｃは、例えば、ＭＡＰ領域位置の位置番号「４」についての割当て要求を行っていないため、その位置に対応するデータ領域においてデータの送信を行わない。また、割当て要求の送信が衝突した場合等は、端末１００‐ａ〜１００‐ｃによって受信されず、ＴＤＤ２ＭＡＰ領域１５２におけるデータ領域の割当て（許可）もないため、やはりデータの送信は行われない。
【００６０】
これにより、送信データが衝突する恐れのある他の端末１００‐Ａ〜１００‐Ｃのいずれかが、隠れ端末として存在する場合でも、端末１００‐ａ〜１００‐ｃの助けをかりて衝突の可能性を低減することができる。よって、新エントリ端末１００‐Ｄは既に割当てられた無線帯域と重複することのない無線帯域で無線送信を行うことができ、本無線通信システム１０は重複する場合と比較してスループットを向上させることができる。
【００６１】
また、既エントリ端末１００‐Ａ等は、ＭＡＰ領域１５２，１６２において割当て信号等を送信するとき、新エントリ端末１００‐Ｄにおいて信号内容を確認することなく割当ての有無が確認できるように割当て信号等を送信する。従って、新エントリ端末１００‐Ｄ等は当該割当て信号等を復号することなく、容易に帯域割当ての有無を確認できる。
【００６２】
次に他の実施例について説明する。上述した例は、無線フレームにおいてエントリ領域１５１，１６１とＭＡＰ領域１５２，１６２とが同じ時間領域の異なる周波数領域に割り当てられるようにした例について説明した（例えば、図９）。例えば、エントリ領域１５１，１６１とＭＡＰ領域１５２，１６２は、同じ周波数領域の異なる時間領域に割り当てられるようにしてもよい。図１０はかかる場合の無線フレームの構成例を示す図である。図１０に示す無線フレームの例も、例えば端末１００‐Ａ〜１００‐ＤがＴＤＤ２領域１６０を利用してデータ等の送信を行い、端末１００‐ａ〜１００‐ｃがＴＤＤ１領域１５０を利用してデータ等の送信を行う。新エントリ端末１００‐Ｄは、ＴＤＤ１領域１５０のＴＤＤ２ＭＡＰ領域１５２を利用して、ＴＤＤ２データ領域１６３のリソースの割り当て有無を確認できる。
【００６３】
また、上述した例は、無線フレームを時間軸方向に２つに分割される例を説明した。例えば、周波数軸方向に分割される場合でも実施できる。
【００６４】
更に、上述した例は、無線フレームにおいて分割される領域数が２つの例で説明した。例えば、無線フレームの分割される領域数が３つ、４つ等でも実施できる。かかる場合、分割される領域数に応じて端末１００をグループ化する。
【００６５】
更に、上述した例は、端末１００‐ａ等はＯＦＤＭＡ（Orthogonal Frequency Division Multiple Access：直交周波数分割多元接続）により無線通信を行う場合について説明した。例えば、ＴＤＭＡ（Time Division Multiple Access：時分割多元接続）、又はＦＤＭＡ（Frequency Division Multiple Access：周波数分割多元接続）による場合でも実施できる。図１１（Ａ）及び同図（Ｂ）はＴＤＭＡによる場合の無線フレーム、図１２（Ａ）〜同図（Ｃ）はＦＤＭＡによる場合の無線フレームの各構成例を示す図である。ＴＤＭＡ方式及びＦＤＭＡ方式の場合でも、既エントリ端末１００‐ａ〜１００‐ｃは、ＴＤＤ２ＭＡＰ領域１５２を利用して割当て信号等を送信する。新エントリ端末１００‐Ｄは、ＴＤＤ２ＭＡＰ領域１６２により受信した割当て信号等の有無により、ＴＤＤ２データ領域１６３のうち使用されていない領域を確認し、当該領域を利用して端末１００‐ａ〜１００‐ｃにデータを送信する。
【００６６】
更に、上述した例は、新エントリ端末１００‐Ｄは端末１００‐Ａ〜１００‐Ｃ（第１の端末装置群）に属する端末として説明した。例えば、新エントリ端末１００‐Ｄは端末１００‐ａ〜１００‐ｃ（第２の端末装置群）に属してもよい。図１３はかかる場合の無線フレームの構成例を示す図である。この場合、新エントリ端末１００‐Ｄは、ＴＤＤ１エントリ領域１５１を利用して端末１００‐Ａ〜１００‐Ｃに使用要求を送信する（例えば図５）。端末１００‐Ａ〜１００‐Ｃは、既にＴＤＤ１ＭＡＰ領域１６２が使用されていないか等を確認し（例えば図７）、ＴＤＤ１ＭＡＰ領域１６２を利用して使用有無を示す割当て信号等を送信する。新エントリ端末１００‐Ｄは、ＴＤＤ１ＭＡＰ領域１６２により示されるＴＤＤ１データ領域１５３を利用して端末１００‐Ａ〜１００‐Ｃにデータ等を送信する。
【００６７】
以上まとめると付記のようになる。
【００６８】
（付記１）
第１の無線リソースを利用して受信を行い、第２の無線リソースを利用して送信を行う第１の端末装置群と、該第２の無線リソースを利用して受信を行い、該第１の無線リソースを利用して送信を行う第２の端末装置群とを備え、該第１の端末装置群に属する端末が該第２の端末装置群に属する端末との間で直接的な無線通信を行う無線通信システムにおいて、
前記第１の端末装置群に属し、前記第２の無線リソースを用いて前記第２の無線リソース内における送信帯域の割当て要求を送信する第１端末と、
前記第１端末によって送信された前記割当て要求を受信し、前記第１の無線リソースを用いて前記送信帯域の前記第１端末への割当てを示す情報を送信する、前記第２の端末装置群に属する第２端末とを備え、
前記第１端末は、前記第２端末から、前記送信帯域の割当てを示す情報を受信すると、前記第２の無線リソース内の前記割当てられた送信帯域を用いてデータを送信することを特徴とする無線通信システム。
【００６９】
（付記２）
前記第２端末は、前記送信帯域のうち未使用の前記送信帯域を前記第１端末へ割り当て、当該割当てた送信帯域を、前記割当てを示す情報として送信することを特徴とする付記１記載の無線通信システム。
【００７０】
（付記３）  
更に、前記第２の端末装置群に属し、前記第１の無線リソースを用いて前記第１の無線リソース内における送信帯域の割当て要求を送信する第３端末と、
前記第３端末によって送信された前記割り当て要求を受信し、前記第２の無線リソースを用いて前記第１の無線リソース内における送信帯域の前記第３端末への割当てを示す情報を送信する、前記第１の端末装置群に属する第４端末とを備え、
前記第３端末は、前記第４端末から、前記送信帯域の割当てを示す情報を受信すると、前記第１の無線リソース内の前記割当てられた送信帯域を用いてデータを送信することを特徴とする付記１記載の無線通信システム。
【００７１】
（付記４）
前記第４端末は、前記送信帯域のうち未使用の前記送信帯域を前記第３端末へ割り当て、当該割当てた送信帯域を、前記第３端末への割当てを示す情報として送信することを特徴とする付記３記載の無線通信システム。
【００７２】
（付記５）
前記第１及び第２の無線リソースは、夫々異なる時間帯で利用される無線リソースであることを特徴とする付記１記載の無線通信システム。
【００７３】
（付記６）
前記第１及び第２の無線リソースは、夫々異なる時間帯で利用される無線リソースであることを特徴とする付記３記載の無線通信システム。
【００７４】
（付記７）
前記第１端末と前記第２端末は、ＯＦＤＭＡ方式、又はＴＤＭＡ方式、又はＦＤＭＡ方式により無線接続することを特徴とする付記１記載の無線通信システム。
【００７５】
（付記８）
前記第１端末と前記第２端末は、ＴＤＤ方式、又はＦＤＤ方式により、前記割当て要求と前記割当てを示す情報、及び前記データを送信及び受信することを特徴とする付記１記載の無線通信システム。
【００７６】
（付記９）
前記第３端末と前記第４端末は、ＯＦＤＭＡ方式、又はＴＤＭＡ方式、又はＦＤＭＡ方式により無線接続することを特徴とする付記３記載の無線通信システム。
【００７７】
（付記１０）
前記第３端末と前記第４端末は、ＴＤＤ方式、又はＦＤＤ方式により、前記割当て要求と前記割当てを示す情報、及び前記データを送信及び受信することを特徴とする付記３記載の無線通信システム。
【００７８】
（付記１１）
第１の無線リソースを利用して受信を行い、第２の無線リソースを利用して送信を行う第１の端末装置群に属する端末装置において、
前記第２の無線リソースを用いて前記第２の無線リソース内における送信帯域の割当て要求を送信する送信部と、
前記第１の無線リソースを利用して送信を行い前記第２の無線リソースを利用して受信を行う第２の端末装置群に属する端末装置から、前記送信帯域の前記第１の端末装置群に属する端末装置への割り当てを示す情報を前記第１の無線リソースを用いて受信する受信部とを備え、
前記送信部は、前記割り当てを示す情報を受信すると、前記第２の無線リソース内の前記割当てられた送信帯域を用いてデータを送信することを特徴とする端末装置。
【００７９】
（付記１２）
第１の無線リソースを利用して送信を行い、第２の無線リソースを利用して受信を行う第２の端末装置群に属する端末装置において、
前記第１の無線リソースを利用して受信を行い前記第２の無線リソースを利用して送信を行う第１の端末装置群に属する端末装置から、前記第２の無線リソース内における送信帯域の割当て要求を前記第２の無線リソースを利用して受信する受信部と、
前記割当て要求に基づいて、前記割当て要求を送信した前記第１の端末装置群に属する前記端末装置に対する前記送信帯域の割当てを示す情報を前記第１の無線リソースを利用して送信する送信部と
を備えることを特徴とする端末装置。
【００８０】
（付記１３）
第１の無線リソースを利用して受信を行い、第２の無線リソースを利用して送信を行う第１の端末装置群と、該第２の無線リソースを利用して受信を行い、該第１の無線リソースを利用して送信を行う第２の端末装置群とを備え、該第１の端末装置群に属する端末が該第２の端末装置群に属する端末との間で直接的な無線通信を行う無線通信システムにおける無線通信方法であって、
前記第１の端末装置群に属する第１端末は、前記第２の無線リソースを用いて前記第２の無線リソース内における送信帯域の割当て要求を送信し、
前記第２の端末装置群に属する第２端末は、前記第１端末によって送信された前記割当て要求を受信し、前記第１の無線リソースを用いて前記送信帯域の前記第１端末への割当てを示す情報を送信し、
前記第１端末は、前記第２端末から、前記送信帯域の割当てを示す情報を受信すると、前記第２の無線リソース内の前記割当てられた送信帯域を用いてデータを送信する
ことを特徴とする無線通信方法。
【符号の説明】
【００８１】
１０：無線通信システム                
１００，１００‐ａ〜１００‐ｃ，１００‐Ａ〜１００‐Ｄ：端末装置
１０１：受信アンテナ                  １０２：ＲＦ処理部
１０３：Ａ／Ｄ変換部                  １０４：復号部
１０５：エントリ／ＭＡＰ領域判断部（領域判断部）
１０６：ＭＡＰ領域記憶部              １０７：帯域割当部
１０８：符号部                        １０９：Ｄ／Ａ変換部
１１０：ＲＦ処理部                    １１１：送信アンテナ
１５０：ＴＤＤ１領域                  １５１：ＴＤＤ１エントリ領域
１５２：ＴＤＤ２ＭＡＰ領域            １５３：ＴＤＤ１データ領域
１６０：ＴＤＤ２領域                  １６１：ＴＤＤ２エントリ領域
１６２：ＴＤＤ１ＭＡＰ領域            １６３：ＴＤＤ２データ領域
【図１】
2011103573.tif 000003
【図２】
2011103573.tif 000004
【図３】
2011103573.tif 000005
【図４】
2011103573.tif 000006
【図５】
2011103573.tif 000007
【図６】
2011103573.tif 000008
【図７】
2011103573.tif 000009
【図８】
2011103573.tif 000010
【図９】
2011103573.tif 000011
【図１０】
2011103573.tif 000012
【図１１】
2011103573.tif 000013
【図１２】
2011103573.tif 000014
【図１３】
2011103573.tif 000015